(57)【要約】【課題】線材が伸線加工される際に、線材に傷が発生するのを抑えることを目的とする。【解決手段】伸線装置２０は、線材を供給する線材供給部２１と線材を引取る線材引取部２２との間の線材送りラインＬに沿って配設され、通過する線材１０の線径より小さい最小径を有する加工孔部が形成された伸線ダイス４１を備える。さらに、線材送りラインＬに沿って、伸線ダイス４１の上流側に配設され、通過する線材１０の線径より大きい最小径を有する通過孔部が形成されたガイドダイス３１を備える。【選択図】図１
2015036149.tif 000002
【特許請求の範囲】
【請求項１】
線材を伸線する伸線装置であって、
線材を供給する線材供給部と線材を引取る線材引取部との間の線材送りラインに沿って配設され、通過する線材の線径より小さい最小径を有する加工孔部が形成された伸線ダイスと、
前記線材送りラインに沿って、前記伸線ダイスの上流側に配設され、通過する線材の線径より大きい最小径を有する通過孔部が形成されたガイドダイスと、
を備える伸線装置。
【請求項２】
請求項１に記載の伸線装置であって、
前記伸線ダイスは、複数の伸線ダイスを備え、
少なくとも最上流に配設された前記伸線ダイスに対して前記ガイドダイスが設けられている伸線装置。
【請求項３】
請求項１又は請求項２に記載の伸線装置であって、
前記伸線ダイスは、複数の伸線ダイスを備え、
前記線材送りラインに沿った中間位置よりも上流側に配設された前記伸線ダイスに対してのみ前記ガイドダイスが設けられている、伸線装置。
【請求項４】
請求項１〜請求項３のいずれか１項に記載の伸線装置であって、
前記ガイドダイスと前記伸線ダイスとが離れて配設される伸線装置。
【請求項５】
線材を伸線することによって、素線を製造する素線の製造方法であって、
（ａ）通過する線材の線径よりも大きい最小径を有する孔に線材を通す工程と、
前記工程（ａ）の後で、通過する線材の線径よりも小さい最小径を有する孔に線材を通す工程と、
を備える、素線の製造方法。
【発明の詳細な説明】
【技術分野】
【０００１】
この発明は、線材を伸線する技術に関する。
【背景技術】
【０００２】
従来、線材を伸線する技術として、特許文献１に開示のものがある。特許文献１では、伸線の仕上げのダイスである最終仕上がりダイスの手前に、仕上がりダイスよりも加工度（線材の長手方向に垂直な断面における線材の断面減少率）の小さいガイドダイスを配置することでワイヤ放電加工用電極線用に伸線されたワイヤに真直性を持たせている。
【先行技術文献】
【特許文献】
【０００３】
【特許文献１】特開平６−１５４８４０号公報
【発明の概要】
【発明が解決しようとする課題】
【０００４】
しかしながら、特許文献１に開示の技術によると、線材がガイドダイスへ入線するときの入線角度（線材のダイス直前での長手方向と伸線方向との角度）が大きくなることがある。例えば、線材の剛性が大きい場合、キャプスタンから出た線材は弧状の軌跡を描いてガイドダイスへ入線するため、入線角度が大きくなりやすい。ガイドダイスへの入線角度が大きくなってしまうと、加工度の小さいガイドダイスが設けられたとしても、線材が伸線加工される際に線材の表面が削られる等して、線材が傷つく恐れがある。
【０００５】
そこで、本発明は、線材が伸線加工される際に、線材に傷が発生するのを抑えることを目的とする。
【課題を解決するための手段】
【０００６】
上記課題を解決するため、第１の態様に係る伸線装置は、線材を伸線する伸線装置であって、線材を供給する線材供給部と線材を引取る線材引取部との間の線材送りラインに沿って配設され、通過する線材の線径より小さい最小径を有する加工孔部が形成された伸線ダイスと、前記線材送りラインに沿って、前記伸線ダイスの上流側に配設され、通過する線材の線径より大きい最小径を有する通過孔部が形成されたガイドダイスと、を備えるものである。
【０００７】
第２の態様に係る伸線装置は、第１の態様に係る伸線装置であって、前記伸線ダイスは、複数の伸線ダイスを備え、少なくとも最上流に配設された前記伸線ダイスに対して前記ガイドダイスが設けられているものである。
【０００８】
第３の態様に係る伸線装置は、第１又は第２の態様に係る伸線装置であって、前記伸線ダイスは、複数の伸線ダイスを備え、前記線材送りラインに沿った中間位置よりも上流側に配設された前記伸線ダイスに対してのみ前記ガイドダイスが設けられているものである。
【０００９】
第４の態様に係る伸線装置は、第１〜第３のいずれか１つの態様に係る伸線装置であって、前記ガイドダイスと前記伸線ダイスとが離れて配設されているものである。
【００１０】
第５の態様に係る素線の製造方法は、線材を伸線することによって、素線を製造する素線の製造方法であって、（ａ）通過する線材の線径よりも大きい最小径を有する孔に線材を通す工程と、前記工程（ａ）の後で、通過する線材の線径よりも小さい最小径を有する孔に線材を通す工程と、を備えるものである。
【発明の効果】
【００１１】
第１〜第４の態様に係る伸線装置によると、通過する線材の線径より小さい最小径を有する加工孔部が形成された伸線ダイスの上流側に通過する線材の線径より大きい最小径を有する通過孔部が形成されたガイドダイスを備える。この構成によると、線材は通過孔部を通過してから加工孔部へと入線することによって、通過孔部を通過する際に軌道が修正され、加工孔部への入線角度が小さくなり、加工孔部を通過することで行われる伸線加工の際に生じる線材の傷つきが低減する。また、線材が通過孔部を通過する際には伸線加工が行われないので、ガイドダイス通過時に線材が傷つきにくい。
【００１２】
特に、第２の態様に係る伸線装置によると、少なくとも最上流に配設された伸線ダイスに対してガイドダイスが設けられているため、線材の傷つきをより効果的に抑えることができる。より具体的には、伸線方向の上流側に行くほど、線材の線径が大きくなり、それに伴い線材の剛性も大きくなる。このため、伸線方向の上流側に行くほど、線材の伸線ダイスへの入線角度が大きくなり、線材が傷つきやすい。したがって、少なくとも、線材の剛性が最も大きい最上流側の伸線ダイスに対してガイドダイスを設けることで、線材に傷が発生するのをより効果的に抑えることができる。
【００１３】
特に、第３の態様に係る伸線装置によると、複数の伸線ダイスのうち、線材送りラインに沿った中間位置よりも上流側に配設された伸線ダイスに対してのみガイドダイスが配設される。このため、線材の剛性の大きい上流側にガイドダイスを配設することで確実に線材の傷つきを抑制できる。また、下流側の方は線材の線径が小さいため、線材によっては剛性が十分小さくなり、ガイドダイスを配設しなくてもよい場合がある。この場合、線材の剛性の小さい下流側にガイドダイスを配設しないことで、時間及びコストを抑えることができる。
【００１４】
特に、第４の態様に係る伸線装置によると、ガイドダイスと伸線ダイスとの間が離れているため、線材の加工孔部への入線角度の最大値を小さくできる。このため、入線角度を小さくすることがより確実にできるので、より確実に線材の傷つきを抑制できる。より具体的には、ガイドダイスを出た線材は伸線ダイスへと直進し、伸線ダイスを通過するときに、強制的に伸線ダイスの径の中心軸方向と線材の径の中心軸方向とが一致させられる。このとき、入線角度の最大値として考えられる値は、線材がガイドダイスを通過する際に孔の内周面に接触しながら進むときにとられ、その値は、伸線ダイスの孔の中心軸方向とガイドダイスを通過した直後の線材の径の中心軸方向との成す角度で与えられる。したがって、ガイドダイスと伸線ダイスとが離して配設された方がより入線角度の最大値が小さくなることによって、線材が傷つくのが抑えられる。
【００１５】
第５の態様に係る素線の製造方法によると、（ａ）通過する線材の線径よりも大きい最小径を有する孔に線材を通す工程と、（ａ）の工程の後で、通過する線材の線径よりも小さい最小径を有する孔に線材を通す工程を備えるため、通過する線材の線径よりも小さい最小径を有する孔への入線角度が小さくなり傷つきが抑えられた素線を製造することができる。
【図面の簡単な説明】
【００１６】
【図１】実施形態に係る伸線装置を示す概略平面図である。
【図２】同上の伸線装置を示す概略側面図である。
【図３】図２の伸線ダイスとガイドダイスとが配設されているキャプスタン間の周辺部を拡大した図である。
【図４】図３の伸線ダイスとガイドダイスの周辺部を拡大した説明図である。
【図５】伸線ダイスに入線角度を持って線材が入線した説明図である。
【図６】伸線ダイスとガイドダイスとが接した状態で配置された場合の伸線加工を行う例を示す説明図である。
【図７】伸線ダイスとガイドダイスとが離して配置された場合の伸線加工を行う例を示す説明図である。
【図８】実施形態に係るガイドダイスの断面の例を示す図である。
【図９】ガイドダイスの変形例の断面を示す図である。
【発明を実施するための形態】
【００１７】
以下、実施形態に係る伸線装置及び素線の製造方法について説明する。図１は、実施形態にかかる伸線装置２０の概略平面図であり、図２は同伸線装置２０を示す概略側面図である。
【００１８】
この伸線装置２０は、線材１０を伸線ダイスにより伸線加工して所定の線径の素線を得る装置であり、線材供給部２１と、線材引取部２２と複数のキャプスタン２３と、複数のダイスとを備えている。
【００１９】
線材１０として、アルミ線材、アルミ合金線材、銅線材、銅合金線材等の各種材質の線材１０が用いることができる。特に、アルミ線材やアルミ合金線材は傷つきやすく、なかでもアルミ合金線材は、剛性が強くかつ傷つきやすいので、本実施形態にかかる伸線装置２０を用いて伸線加工を行うことによって、傷つきを抑えた素線１０ｂを製造することができる。なお、線材１０は、伸線加工の前後及び加工中のもの全てを含む総称であり、加工前のものを母線材１０ａ、加工後の伸線されたものを素線１０ｂと区別する場合がある。素線１０ｂは単独で、又は撚り合わされた形態で、電線の芯線等として用いられる。
【００２０】
線材供給部２１は、母線材１０ａを供給可能に構成されている。より具体的には、線材供給部２１は、リールに母線材１０ａが巻回収容された構成とされている。この線材供給部２１は、所定の線材送りラインＬの上流側に回転自在に支持されており、この線材供給部２１から母線材１０ａが引出し可能とされている。
【００２１】
線材引取部２２は、素線１０ｂを引取可能に構成されている。より具体的には、線材引取部２２は、素線１０ｂを巻回収容可能なリールが、モータ等の回転駆動源によって回転駆動可能に支持されている。この線材引取部２２は前記線材送りラインＬの下流側に配設されており、最終の仕上がり線径に加工された素線１０ｂが本線材引取部２２によって、引取って収容されるようになっている。
【００２２】
複数のキャプスタン２３は、線材供給部２１と線材引取部２２との間の線材送りラインＬに沿って、間隔を有して並ぶように配設されている。各キャプスタン２３は、円板状あるいは円柱状に形成されており、その外周に線材１０を巻付可能な周溝が形成されている。また、各キャプスタン２３は、それぞれ線材送りラインＬに対して直交する水平方向の回転軸周りに回転可能に支持されている。そして、線材１０を各キャプスタン２３の周溝に巻付けた状態で、各キャプスタン２３を回転駆動することで、その回転速度に応じた引抜き速度で線材１０が引抜かれるようになっている。
【００２３】
なお、各キャプスタン２３の回転軸は、重力方向または重力方向に対して斜め方向に沿った軸であってもよい。また、ここでは、複数のキャプスタン２３は５つのキャプスタン２３で構成されているが、キャプスタン２３の数は、伸線ダイス４１の数等に合わせて適宜変更可能である。
【００２４】
また、各キャプスタン２３は回転駆動源２４により発生した回転駆動力により、回転駆動可能に構成されている。回転駆動源２４は、ＡＣモータ等のモータであり、ここでは、１つの回転駆動源２４に対し１つのキャプスタン２３が回転駆動可能に連結されている。なお、１つの回転駆動源２４に対して、複数のキャプスタン２３が回転駆動可能に連結されていてもよい。また、回転駆動源２４は、回転速度を調整可能でもよい。
【００２５】
複数のダイスは、線材供給部２１と線材引取部２２との間の線材送りラインＬに沿って線材１０が通過可能に配設されており、少なくとも１つの伸線ダイス４１と少なくとも１つのガイドダイス３１とで構成されている。ここでは、４つの伸線ダイス４１と２つのガイドダイス３１とで構成されている合計６つのダイスが配設されているが、伸線ダイス４１の数とガイドダイス３１の数とは、母線材１０ａの断面積や素線１０ｂの断面積や線材１０の材質などの事項により、変更可能とされている。
【００２６】
伸線ダイス４１は、線材１０の線径が小さくなるように縮径変形加工を施すための加工具であり、線材送りラインＬに沿って、複数のキャプスタン２３の各間に配設されている。より具体的には、伸線ダイス４１は金属等で形成された部材であり、線材１０が通過可能な加工孔部４３が形成されている。
【００２７】
加工孔部４３は、線材送りラインＬに沿って上流側の面と下流側の面とその内部とを貫き、加工孔部４３の最小径部は通過する直前の線材１０の線径よりも小さくなるように形成されている。また、加工孔部４３は上流側開口部から徐々に径が小さくなっていき、最小径部を経て、下流側開口部に向けて徐々に径が大きくなっていくように形成されている。
【００２８】
なお、ここでは、伸線ダイス４１は、複数のキャプスタン２３の各間すべてに配設されているが、配設されない間があってもよい。また、伸線ダイス４１は、着脱可能に配設されていてもよい。その場合、伸線ダイス４１の取り外し、交換、メンテナンス等を容易に行うことが可能である。
【００２９】
ガイドダイス３１は、線材１０を伸線ダイス４１に、入線角度を抑えつつ入線可能とするための加工具であり、線材送りラインＬに沿って配設されている。より具体的には、ガイドダイス３１は、複数のキャプスタン２３の各間に配設されている伸線ダイス４１に対してその上流側に配設されている。
【００３０】
ガイドダイス３１は、金属または樹脂等で形成された部材であり、線材１０が通過可能な通過孔部３３が形成されている。通過孔部３３は、線材送りラインＬの上流側の面と下流側の面とその内部とを貫き、通過孔部３３の最小径部は通過する直前の線材１０の線径よりも大きくなるように形成されている。最小径部の直径は、例えば、通過する直前の線材１０の外径の１０２〜１３０％とすることができる。ここで、通過孔部３３の中心軸と加工孔部４３の中心軸とが一致するようにガイドダイスは配設されている。
【００３１】
なお、通過する線材の断面が円形であるため、線材送りラインＬに垂直なガイドダイス３１の断面における通過孔部３３の形状は円形としているが、線材１０が通過可能であれば、円形でなくとも楕円形でも多角形でも構わない。
【００３２】
また、通過孔部３３は、上流側の面にある開口部から徐々に径が小さくなっていき、最小径部を経て、下流側の面にある開口部に向けて徐々に径が大きくなっていくように形成されている。この形状であれば、上流側の面にある開口部が広いため、通過孔部３３にスムーズに線材１０が入線可能になる。また、下流側の面の開口部が最小径部よりも径が大きくなっているため、通過孔部３３の下流側の出口付近で、線材１０が擦れて傷つくことが抑えられる。さらに、最小径部が下流側の面近くに設けられているので、できるだけ上流側の開口部を広くすることができ、通過孔部３３にスムーズに線材１０が入線可能となる。なお、通過孔部はこの形状に限られるものではなく、例えば同じ断面が続く直線型でもよいし、上流側の面にある開口部から縮径していき、下流側の面の開口部が最小径部であってもよい。
【００３３】
そして、上流側の面と通過孔部３３、及び、下流側の面と通過孔部３３は角のないように滑らかにつながっている。また、最小径部の周辺も角のないように滑らかにつながっている。この形状であれば、線材１０と通過孔部３３とが擦れたときでも線材１０に傷がつくことを抑えられる。
【００３４】
また、ガイドダイス３１は線材送りラインＬに沿って移動可能に配設されていてもよい。その場合、線材１０のガイドダイス３１への入線角度及び線材１０の伸線ダイス４１への入線角度を最適なものへと容易に変更することが可能であることによって、より傷つきを抑えることが可能になる。
【００３５】
また、ガイドダイス３１は着脱可能に配設されていてもよい。その場合、ガイドダイス３１の取り外し、交換、メンテナンス等を容易に行うことが可能である。
【００３６】
また、ここでは、複数の伸線ダイス４１が配設され、少なくとも、最上流に配設されている伸線ダイス４１に対してガイドダイス３１が配設されている。より具体的には、配設されている４つの伸線ダイス４１のうち、最上流側を含む２つの伸線ダイス４１に対してガイドダイス３１が配設されている。もっとも、必ずしも、最上流側の伸線ダイス４１に対してガイドダイス３１が配設されている必要はないが、最上流側の伸線ダイス４１に対してガイドダイス３１が配設されていれば、後に説明するように、線材の傷つきをより効果的に抑えることができる。
【００３７】
また、３つめのキャプスタン２３がある位置を中間位置としたとき、４つの伸線ダイスのうち中間位置より上流側に配設された２つの伸線ダイス４１に対してのみその上流側にガイドダイス３１が配設され、中間位置より下流側に配設された２つの伸線ダイス４１に対してはその上流側にガイドダイス３１が配設されていない。もっとも、中間位置は３つめのキャプスタン２３がある位置である必要はなく、最上流に配設された伸線ダイス４１と最下流に配設された伸線ダイス４１との間に配設されたいずれかのキャプスタン２３のある位置にあればよい。線材送りラインＬに沿った中間位置よりも上流側に配設された伸線ダイス４１に対してのみガイドダイス３１が設けられていれば、後に説明するように、中間位置よりも上流側の伸線ダイス４１では、線材１０の傷つきを確実に抑えつつ、中間位置よりも下流側では、ガイドダイス３１の設置に係る時間やコストを抑えることができる。
【００３８】
また、ここでは、伸線ダイス４１とガイドダイス３１とは、離れて配設されている。より具体的には、連続する２つのキャプスタン２３の間のうち、伸線ダイス４１とガイドダイス３１とが両方配設されている最上流側の２つの間において、それぞれ、伸線ダイス４１とガイドダイス３１とが、接することなく配設されている。伸線ダイス４１とガイドダイス３１とが離れて配設されている場合、線材１０の伸線ダイス４１への入線角度を小さくすることができる。もっとも、伸線ダイス４１とガイドダイス３１とは、接触した状態で配設されていてもよい。伸線ダイス４１とガイドダイス３１とが接触して配設されている場合、伸線ダイス４１の中心軸とガイドダイス３１の中心軸とを合わせる調整が容易となる。
【００３９】
なお、ここでは、ガイドダイス３１は伸線ダイス４１と同じ素材で形成されてもよいし違う素材で形成されてもよいが、伸線ダイス４１よりも柔らかい素材で形成されるのが好ましい。
【００４０】
また、最下流側の伸線ダイス４１と線材引取部２２との間に一対のローラを備える線速差吸収機構部が設けられていてもよい。線速差吸収機構部は、いわゆるダンサローラ等とも呼ばれ、一方の固定ローラに対して、可動側ローラが近接離間移動可能に支持された構成とされている。そして、キャプスタン２３と線材引取部２２との間の線速差に応じて両ローラ間距離が調整されることで、最下流側の伸線ダイス４１を通過した線材１０を巻付けるキャプスタン２３と線材引取部２２との間における線材１０の弛み及び線材１０の過大な引張り力の作用等が抑制されるようになっている。
【００４１】
また、最下流側の伸線ダイス４１と線材引取部２２との間に、素線１０ｂをアニールする焼鈍機や素線１０ｂに絶縁層等を被覆する押出被覆機等が設けられ、線材１０が伸線加工を施されたのちにアニールや押出被覆等の別の加工が施されてから、線材引取部２２に巻付け収容されてもよい。
【００４２】
＜伸線装置の動作＞
ここで、伸線装置２０における伸線加工の流れについて説明する。
【００４３】
まずは、引き続き図１及び図２を用いて、全体の流れについて説明する。線材供給部２１に巻付け収容されていた線材１０が引出されたのち、予め線材送りラインＬに沿って配設されている、キャプスタン２３とガイドダイス３１と伸線ダイス４１とに線材１０を通して、線材１０が線材引取部２２へセットされる。
【００４４】
次に、各キャプスタン２３に連結されているモータ等の回転駆動源２４と線材引取部２２のモータ等の回転駆動源を動かすことによって、各キャプスタン２３と線材引取部２２とが、回転駆動を始める。各キャプスタン２３と線材引取部２２とが回転駆動を始めると、線材供給部２１からキャプスタン２３に順次、線材１０が送られ始める。
【００４５】
次に、キャプスタン２３からガイドダイス３１の通過孔部３３を経て伸線ダイス４１の加工孔部４３を通り次のキャプスタン２３に送られる工程を２回繰り返す。そして、キャプスタン２３を出た線材１０は、ガイドダイス３１を経ずに直接伸線ダイス４１へと入線し、伸線加工を施されたのち次のキャプスタン２３に送られる工程を２回繰り返して、素線１０ｂが線材引取部２２へと巻きつけ収容される。
【００４６】
図３は、図２の最上流側の連続する２つのキャプスタン２３の間の拡大図であり、キャプスタン２３から出た線材１０の軌跡の様子を模式的に示した図である。キャプスタン２３に送られた線材１０が、キャプスタン２３を周回したのちキャプスタン２３を出ると、弧状の軌跡を描いて、次のダイスへと入線する。この軌跡の形状は、線材１０の剛性に応じて変わり、一般的には、線材１０の剛性が大きいほど線材送りラインＬから離れるように大きく湾曲する軌跡を描き、線材１０の剛性が小さくなるほど次のキャプスタンの引抜き力によって、線材送りラインＬに沿った直線状の軌跡を描くようになる。これは、線材１０の剛性が大きいほど、キャプスタン２３から線材送りラインＬと角度を持って出た線材１０がより真っ直ぐ進もうとすることによるものである。
【００４７】
ここで、軌跡に関与する、線材１０の剛性を決める数値の１つとして、線材１０の線径があげられる。より具体的には、同じ素材の線材１０であれば、一般的には、線材１０の線径が大きくなるほど剛性は大きくなる。ここで、本実施形態にかかる伸線装置２０では、線材１０を順次縮径加工していくものであることから、上流側にいくほど、線材１０の線径は大きくなる。したがって、上流側の線材１０の方が剛性は大きいため、上流側のキャプスタン２３から出た線材１０の軌跡の方が、線材送りラインＬから離れるように大きく湾曲する軌跡になり、次のダイスへの入線角度が大きくなる。そのため、上述したように、中間位置よりも上流側の伸線ダイス４１に対して、特に最上流側の伸線ダイス４１に対して、ガイドダイス３１が配設されることでより効果的に傷つきを抑えることができる。
【００４８】
図４は、図３のガイドダイス３１と伸線ダイス４１との周辺部を拡大した説明図で、線材１０がガイドダイス３１と伸線ダイス４１とを通過する様子を模式的に示した図である。なお図４では、分かり易くするため、伸線ダイス４１とガイドダイス３１とは送りラインＬに平行な断面図で示されている（以下、図５〜図９のダイスもそれぞれ同様の断面図で示されている）。弧状の軌跡を描いてガイドダイス３１の通過孔部３３へと入線した線材１０は、通過孔部３３と接触することで軌道が修正され、通過孔部３３を出ると、ほぼ直線状に伸線ダイス４１の加工孔部４３へと入線し伸線加工が施される。
【００４９】
図５は、線材１０の剛性が大きい時に、線材１０が、弧状の軌跡を描いて、ガイドダイス３１を経ずに直接伸線ダイス４１の加工孔部４３へと入線し、伸線加工が行われる説明図である。このとき、線材１０の剛性が大きいと入線角度αが大きくなる。入線角度αが大きくなると、線材１０が加工孔部４３に接触し曲がりが生じる線材１０の表面付近の一部分である曲り部Ｃに応力が集中する。曲り部Ｃに応力が集中すると、曲り部Ｃが加工孔部４３へと押し付けられる力が大きくなる。そして、曲り部Ｃが加工孔部４３へと押し付けられる力が大きくなると、曲り部Ｃが加工孔部４３と擦れた状態で引っ張られることにより、曲り部Ｃ近傍の線材１０の表面が削られる等して、線材１０に傷が生じることになる。
【００５０】
したがって、線材１０の剛性が大きいことによる線材１０の傷つきを抑えるためにガイドダイス３１を設ける場合、上流側に行くほど線材１０の剛性が大きくなることから、下流側よりも上流側にガイドダイス３１を設けることでより線材１０の傷つきを抑えることができる。つまり、最上流側の伸線ダイス４１から順にその上流側にガイドダイス３１を配設するのが好ましい。そして、下流側では、線材１０の剛性が十分小さくなり、ガイドダイス３１を設けなくてもよい場合がある。その場合、中間位置よりも下流側にはガイドダイス３１を設けないことで、ガイドダイス３１の設置にかかる時間及びコストを抑えることができる。
【００５１】
図６は、連続する２つのキャプスタン２３の間において、伸線ダイス４１とガイドダイス３１とが接触した状態で配設された説明図であり、図７は、連続する２つのキャプスタン２３の間において、伸線ダイス４１とガイドダイス３１とが、接触していない状態で配設された説明図である。ガイドダイス３１の通過孔部３３と接触することによって軌道を修正した線材１０は、直線状に伸線ダイス４１の加工孔部４３へと入線する。このとき図６及び図７からも明らかなように、同じガイドダイス３１を用いた場合、伸線ダイス４１とガイドダイス３１とが離れて配設された方が、伸線ダイス４１の加工孔部４３への線材１０の入線角度の最大値が小さくなる。
【００５２】
より具体的には、入線角度の最大値は、加工孔部４３の最小径部から通過孔部３３の最小径部までの距離と、通過孔部３３の最小径とによって決まる。すなわち、加工孔部４３の最小径部から通過孔部３３の最小径部までの距離が長いほど、また、通過孔部３３の最小径が小さいほど入線角度の最大値は小さくなる。このため、同じガイドダイス３１を用いた場合、通過孔部３３の最小径は変わらないため、加工孔部４３の最小径部から通過孔部３３の最小径部までの距離が大きいほど、すなわち、伸線ダイス４１とガイドダイス３１とがより離して配設されるほど、より確実に入線角度の最大値を小さくすることができる。そして、このことによって、より確実に線材１０の傷つきを抑えることができる。ここで、通常、ガイドダイス３１を配設できる範囲は工場の大きさ等により制限されるため、どの程度離すかは剛性（線材１０の物性、太さ）等に応じて実験的、経験的に決定される。
【００５３】
こうして、通過する線材１０の線径よりも大きい最小径を有する通過孔部３３に線材１０を通す工程と、通過する線材１０の線径よりも小さい加工孔部４３に線材１０を通す工程とを備える製造方法により製造された素線１０ｂは、傷つきが抑えられ、断線しにくくなる。
【００５４】
図８は、本実施形態にかかるガイドダイス３１を示す概略断面図である。ガイドダイス３１には、上述したような通過孔部３３が設けられている。このガイドダイス３１を製造するには、例えば以下のようにすればよい。
【００５５】
まずは、上流側の面と下流側の面との２つの面を持つ直方体や立方体等の柱状体を用意し、上流側の面及び下流側の面からそれぞれテーパ状に縮径するように貫通するまで孔を開ける。そして上流側の面と孔の連結部分（孔の上流側の開口縁部）と、上流側から開けた孔と下流側から開けた孔の連結部分（最小径部）と、下流側の面と孔の連結部分（孔の下流側の開口縁部）とをそれぞれ角がなく滑らかになるように削ることで、通過孔部３３を備えるガイドダイス３１が形成される。
【００５６】
ガイドダイス３１の素材は上述のように金属でもよいし、樹脂でもよいが、伸線ダイス４１よりも柔らかい素材で形成されると、線材１０がガイドダイス３１と接触した時に生じる恐れのある傷つきを抑えることができる。さらにガイドダイス３１が、通過する線材１０よりも柔らかい素材で形成されると、線材１０がガイドダイス３１と接触した時に生じる恐れのある傷つきをさらに確実に抑えることができる。
【００５７】
また、入線角度が６０度で、ある線材１０に対して伸線加工した際に傷がつき、同じ線材１０に対して、入線角度が３０度となるようにして伸線加工を施したところ、傷はつかなかったことが、発明者らによって確認されている。このように、入線角度の小さい方が線材１０の傷つきを抑えることができることが判明した。
【００５８】
また、発明者らが、ある環境下でガイドダイスを用いずに伸線加工を行うと線材１トン当たり平均して３０．１回の断線が確認された。一方、同じ環境下で、ガイドダイスを用いて伸線加工を行った場合に、線材１トン当たり平均して０．０回の断線まで改善された。
【００５９】
＜効果＞
以上のように構成された伸線装置２０によると、伸線ダイス４１に対してその上流側にガイドダイス３１が配設されているため、ガイドダイス３１が配設されていない場合に比べて、線材１０の伸線ダイス４１への入線角度を小さくでき、傷つきを抑えることができる。また、ガイドダイス３１通過時には伸線加工が行われないため、ガイドダイス３１通過時に生じる線材１０の傷つきを抑えることができる。
【００６０】
また、線材１０の剛性が最も大きい最上流側の伸線ダイス４１に対してガイドダイス３１が配設されているため、線材１０の傷つきをより効果的に抑えることができる。
【００６１】
また、線材１０の剛性が大きい上流側に配設された伸線ダイス４１に対してガイドダイス３１が設けられ、線材１０の剛性が小さい下流側に配設された伸線ダイス４１に対してガイドダイス３１が設けられていないため、上流側の伸線ダイス４１での傷つきをより確実に抑えつつ、下流側でのガイドダイス３１の設置にかかる時間及びコストを抑えることができる。
【００６２】
また、連続する２つのキャプスタン２３の間において、伸線ダイス４１とガイドダイス３１とが離れて配設されているため、接した状態で配設されている場合に比べて、線材１０の伸線ダイス４１への入線角度の最大値を小さくすることができ、より確実に線材１０の傷つきを抑えることができる。
【００６３】
＜変形例＞
図９は、変形例に係るガイドダイス３２を示す概略断面図である。ガイドダイス３２は、例えば伸線用のダイスの孔部を通過孔部３４として代用し、通過孔部３４に伸線ダイス４１よりも柔らかい素材で形成された被覆部３６が設けられたものである。この被覆部３６は、例えば、上流側から最小径部の中間位置までの通過孔部３４の形状に加工した樹脂製のキャップと、下流側から最小径部の中間位置までの通過孔部３４の形状に加工した樹脂製のキャップとを嵌め合わせて形成することができる。
【００６４】
この形状のガイドダイス３２であれば、被覆部３６を容易に外すことが可能であるため、被覆部３６を取り外して伸線用のダイスに戻したり、被覆部３６が損傷したときに、被覆部３６を変えたりすることを容易にすることができる。なお、ガイドダイス３１の通過孔部３３に被覆部３６を設けてもよい。この場合でも、被覆部３６を容易に外すことが可能であるため、被覆部３６を取り外してガイドダイス３１に戻したり、被覆部３６が損傷したときに、被覆部３６を変えたりすることを容易にすることができる。
【００６５】
なお、本実施形態では、１本の母線材１０ａに対して伸線加工が施されているが、複数の母線材１０ａのそれぞれに対して伸線加工が施されてもよい。この場合、母線材１０ａの本数に応じて、線材供給部２１と線材引取部２２とが設けられることが望ましい。
【００６６】
複数本の母線材１０ａに対して伸線加工が施される場合、線材送りラインＬに沿って、最下流側に配設された伸線ダイス４１と線材引取部２２との間に、複数の素線１０ｂを撚り合わせる、撚り合わせ機構部が設けられていてもよい。この場合、撚り合わされた線を１本だけ引取る線材引取部２２が１つだけ設けられていてもよい。
【００６７】
また、ここでは、加工する線材１０が１本であるため、加工孔部４３は１つであるが、複数本の母線材１０ａに対して伸線加工が施される場合、加工対象の線材１０の数に応じて複数の加工孔部４３が形成されるのが望ましい。また、この場合、複数の加工孔部４３は並列状に形成されていてもよい。
【００６８】
同様に、ここでは、通過する線材１０が１本であるため、通過孔部３３は１つであるが、複数本の母線材１０ａに対して伸線加工が施される場合、通過対象の線材１０の数に応じて複数の通過孔部３３が形成されるのが望ましい。また、この場合、複数の通過孔部３３は並列状に形成されていてもよい。
【００６９】
また、上記実施形態では、線材送りラインＬが直線である場合で説明したが、必ずしもその必要はなく、各キャプスタン部分或いは他のガイドローラ部分で曲っているラインであってもよい。
【００７０】
なお、上記実施形態及び変形例で説明した各構成は、相互に矛盾しない限り適宜組み合わせることができる。
【００７１】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７２】
１０  線材
２０  伸線装置
２１  線材供給部
２２  線材引取部
２３  キャプスタン
３１、３２  ガイドダイス
３３、３４  通過孔部
３６  被覆部
４１  伸線ダイス
４３  加工孔部
【図１】
2015036149.tif 000003
【図２】
2015036149.tif 000004
【図３】
2015036149.tif 000005
【図４】
2015036149.tif 000006
【図５】
2015036149.tif 000007
【図６】
2015036149.tif 000008
【図７】
2015036149.tif 000009
【図８】
2015036149.tif 000010
【図９】
2015036149.tif 000011